(57)【要約】【課題】  複数のユーザが電子機器を共用するシステムにおいて、より小規模な環境で、電子機器を共用するシステムを提供することが課題になっていた。【解決手段】  実施形態の電子機器は、管理データが記憶されている第１の機器との接続を検出し、接続が検出された場合に、前記第１の機器から前記管理データを取得する管理データ取得部を備える。  また、所定情報の表示指示を検出し、表示指示が検出された場合に、自身の記憶部から前記取得された管理データに応じた共用データを取得する共用データ取得部を備える。  また、前記第１の機器に記憶されているノートデータを取得するノートデータ取得部を備える。  また、前記共用データと前記ノートデータを合成した表示映像を出力する映像出力部を備える。【選択図】  図１
2014089610.tif 000002
【特許請求の範囲】
【請求項１】
管理データが記憶されている第１の機器との接続を検出し、接続が検出された場合に、前記第１の機器から前記管理データを取得する管理データ取得部と、
所定情報の表示指示を検出し、表示指示が検出された場合に、自身の記憶部から前記取得された管理データに応じた共用データを取得する共用データ取得部と、
前記第１の機器に記憶されているノートデータを取得するノートデータ取得部と、
前記共用データと前記ノートデータを合成した表示映像を出力する映像出力部を備える電子機器。
【請求項２】
前記管理データは、前記電子機器の記憶部に記憶された共用データを識別し、アクセスできるようにする請求項１に記載の電子機器。
【請求項３】
前記共用データは、複数のユーザで共用されるデータである請求項１または請求項２のいずれかに記載の電子機器。
【請求項４】
所定情報は、個人用の教科書情報を含む請求項１乃至請求項３のいずれかに記載の電子機器。
【請求項５】
前記第１の機器から個人情報環境データを取得し、この個人情報環境データに応じた設定表示を出力する請求項１乃至請求項４のいずれかに記載の電子機器。
【請求項６】
前記出力された表示映像に対する書き込みがされた場合に、前記共用データに関連付けて前記ノートデータに記憶する請求項１乃至請求項５のいずれかに記載の電子機器。
【請求項７】
管理データが記憶されている第１の機器との接続を検出し、接続が検出された場合に、前記第１の機器から前記管理データを取得するステップと、
所定情報の表示指示を検出し、表示指示が検出された場合に、自身の記憶部から前記取得された管理データに応じた共用データを取得するステップと、
前記第１の機器に記憶されているノートデータを取得するステップと、
前記共用データと前記ノートデータを合成した表示映像を出力するステップを備える電子機器の制御方法。
【請求項８】
管理データが記憶されている第１の機器との接続を検出し、接続が検出された場合に、前記第１の機器から前記管理データを取得するステップと、
所定情報の表示指示を検出し、表示指示が検出された場合に、自身の記憶部から前記取得された管理データに応じた共用データを取得するステップと、
前記第１の機器に記憶されているノートデータを取得するステップと、
前記共用データと前記ノートデータを合成した表示映像を出力するステップを備える電子機器を制御する電子機器の制御プログラム。
【請求項９】
請求項１乃至請求項６のいずれかに記載の電子機器に接続される第１の機器。
【発明の詳細な説明】
【技術分野】
【０００１】
本発明の実施形態は、電子機器、電子機器の制御方法、電子機器の制御プログラム、第１の機器に関する。
【背景技術】
【０００２】
近年、複数のユーザが複数の計算機（電子機器）を共用するシステムが提案されている。
【０００３】
しかし、これらのシステムにおいては、例えば、ネットワークに接続されたサーバを要求し、大規模なシステム環境になってしまうことが問題になっていた。
【０００４】
このため、より小規模な環境で、電子機器を共用するシステムを提供することが課題になっていた。
【先行技術文献】
【特許文献】
【０００５】
【特許文献１】特開２００２−１４９５９９号公報
【発明の概要】
【発明が解決しようとする課題】
【０００６】
複数のユーザが電子機器を共用するシステムにおいて、より小規模な環境で、電子機器を共用するシステムを提供することが課題になっていた。
【課題を解決するための手段】
【０００７】
実施形態の電子機器は、管理データが記憶されている第１の機器との接続を検出し、接続が検出された場合に、前記第１の機器から前記管理データを取得する管理データ取得部を備える。
【０００８】
また、所定情報の表示指示を検出し、表示指示が検出された場合に、自身の記憶部から前記取得された管理データに応じた共用データを取得する共用データ取得部を備える。
【０００９】
また、前記第１の機器に記憶されているノートデータを取得するノートデータ取得部を備える。
【００１０】
また、前記共用データと前記ノートデータを合成した表示映像を出力する映像出力部を備える。
【図面の簡単な説明】
【００１１】
【図１】実施形態に係わる電子機器（タブレットＰＣ）と第１の機器（キーデバイス）を示す図。
【図２】実施形態に係わる電子機器（タブレットＰＣ）と第１の機器（キーデバイス）の構成を示す図。
【図３】実施形態に係わる電子機器（タブレットＰＣ）の表示部に表示される表示データ、電子機器（タブレットＰＣ）へ記憶されている共用データ、第１の機器（キーデバイス）へ記憶されているノートデータを示す図。
【図４】実施形態に係わる電子機器（タブレットＰＣ）と第１の機器（キーデバイス）の状態を示す状態図。
【図５】実施形態に係わる電子機器（タブレットＰＣ）の動作を説明するフローチャート。
【図６】他の実施形態に係わる電子機器（タブレットＰＣ）と第１の機器（キーデバイス）の構成を示す図。
【発明を実施するための形態】
【００１２】
以下、図面を参照し、実施の形態を説明する。
【００１３】
図１は、実施形態に係わる電子機器（タブレットＰＣ）と第１の機器（キーデバイス）を示す図である。
【００１４】
この実施形態において、電子機器（タブレットＰＣ）１０は、複数のユーザによって共用されることが想定されている。
【００１５】
近年、例えば、教育システムにおいて、計算機等の電子機器（タブレットＰＣ）が、デジタル教科書として使用される環境が広まりつつある。
【００１６】
その際に、ユーザ（例えば、生徒）それぞれが、個人専用の計算機端末（電子機器）を所有する場合は、その導入コストは大きなものとなる。
【００１７】
このため、例えば、計算機端末（電子機器）を共用（シェアリング）することができれば、導入コストの観点からも望ましい。
【００１８】
しかし、その際に、ユーザ（生徒）の個別データをどこに格納し、どう管理するか等の課題が生じる。
【００１９】
そこで、この実施形態においては、例えば、教育システムにおける計算機端末（電子機器）の共用化について説明する。
【００２０】
なお、ここでは電子機器１０はタブレットＰＣを用いて説明を行うが、この実施形態においては、これに限られることはなく、パーソナルコンピュータやスマートホン、テレビ等に適用することも可能である。
【００２１】
例えば、図１に示すように、この実施形態に係るシステムは、共用される計算機端末（電子機器（タブレットＰＣ））１０と、ユーザ個別データを格納する第１の機器（キーデバイス）２０を備えている。
【００２２】
この第１の機器（キーデバイス）２０は、例えば、ＵＳＢドングル（ＵＳＢキー）機能を備えたＵＳＢメモリ等のデバイスで構成される。
【００２３】
この実施形態においては、計算機端末（電子機器（タブレットＰＣ））１０は、第１の機器（キーデバイス）１０の接続待ちの状態となる。この第１の機器（キーデバイス）１０の接続は、必ずしも物理的に接続される必要はなく、無線等で接続するようにしても良い。
【００２４】
そして、電子機器（タブレットＰＣ）１０に第１の機器（キーデバイス）１０が接続された際に、例えば、第１の機器（キーデバイス）１０内部のストレージ２３（図２）より個人情報環境データを読み出し、第１の機器（キーデバイス）１０を所有する個人が、電子機器（タブレットＰＣ）１０を操作可能な状態へとセッティングする。
【００２５】
この個人情報環境データは、例えば、第１の機器（キーデバイス）１０を所有する個人が、電子機器（タブレットＰＣ）１０を操作可能な状態へとセッティングするデータである。
【００２６】
ここでは、例えば、第１の機器（キーデバイス）１０は、Ａさん用に設定されている。
【００２７】
次に、第１の機器（キーデバイス）１０のストレージ２３にある管理データよりアクセスすべき共用データ（電子機器１０に格納、図２）を識別し、個人（例えば、Ａさん）が電子機器（タブレットＰＣ）１０に、アクセスできる様ようにする。
【００２８】
この共用データは、例えば、電子機器（タブレットＰＣ）１０に格納され、複数のユーザで共用されるデータである。例えば、共用データは、教科書のデータ、テストのデータ等が想定される。
【００２９】
また、管理データは、電子機器（タブレットＰＣ）１０の記憶部（ストレージ）に記憶された共用データを識別し、アクセスできるようにするデータである。
【００３０】
すなわち、ここでは、電子機器（タブレットＰＣ）１０は、キーデバイス（Ａさん用）１０が接続されると、第１の機器（キーデバイス）１０よりＡさんの個人情報環境データを読み出し、第１の機器（キーデバイス）１０を所有する個人（例えば、Ａさん）が、電子機器（タブレットＰＣ）１０を操作可能な状態へとセッティングする。
【００３１】
また、キーデバイス（Ａさん用）１０にある管理データよりアクセスすべき共用データを識別し、個人（例えば、Ａさん）が電子機器（タブレットＰＣ）１０に、アクセスできるようにする。
【００３２】
ここでは、電子機器（タブレットＰＣ）１０は、第１の機器（キーデバイス）１０を所有する特定の個人（例えば、Ａさん）がアクセスすべき共用データを識別し、アクセスできるように、映像表示部（ディスプレイ）１１に、特定の個人（例えば、Ａさん）に関連付けられた「国語１」のアイコン１、「算数１」のアイコン２、「理科１」のアイコン３、「社会１」のアイコン４が表示出力されている。
【００３３】
また、ここでは、例えば、特定の個人（例えば、Ａさん）に関連付けられた表示が出力されていることを示すように、例えば、「Ａさんの個人環境」等と表示されている。
【００３４】
図２は、実施形態に係わる電子機器（タブレットＰＣ）と第１の機器（キーデバイス）の構成を示す図である。
【００３５】
ここでは、図２に示すように、電子機器（タブレットＰＣ）１０と第１の機器（キーデバイス）２０は、例えば、インタフェース１５およびインタフェース２１を介して接続されている。
【００３６】
また、電子機器（タブレットＰＣ）１０は、例えば、映像表示部（ディスプレイ）１１、ＳＯＣ（Ｓｙｓｔｅｍ  Ｏｎ  Ｃｈｉｐ）１２、記憶部（ストレージ）１３を備えている。
【００３７】
この記憶部（ストレージ）１３には、上記のように、複数のユーザで共用される、教科書などの共用データ１４が記憶されている。
【００３８】
ＳＯＣ（Ｓｙｓｔｅｍ  Ｏｎ  Ｃｈｉｐ）１２は、映像表示部（ディスプレイ）１１や記憶部（ストレージ）１３と接続され、これ等を制御する。
【００３９】
また、第１の機器（キーデバイス（ＵＳＢデバイス））２０は、コントローラ２２、記憶部（ストレージ）２３を備えている。
【００４０】
この記憶部（ストレージ）２３には、個人情報環境データ（個人環境データ）２４、管理データ２５、ノートデータ２６が記憶されている。
【００４１】
上記のように、個人情報環境データ（個人環境データ）２４は、例えば、第１の機器（キーデバイス）２０を所有する個人（例えば、Ａさん）が、電子機器（タブレットＰＣ）１０を操作可能な状態へとセッティングするデータである。
【００４２】
また、管理データは、電子機器（タブレットＰＣ）１０の記憶部（ストレージ）に記憶された共用データを識別し、アクセスできるようにするデータである。
【００４３】
また、ノートデータは、図３で説明するように、ユーザによって書き込まれたデータである。
【００４４】
図３は、実施形態に係わる電子機器（タブレットＰＣ）の表示部に表示される表示データ、電子機器（タブレットＰＣ）へ記憶されている共用データ、第１の機器（キーデバイス）へ記憶されているノートデータを示す図である。
【００４５】
例えば、ここでは、電子機器（タブレットＰＣ）１０で管理データが記憶されている第１の機器（キーデバイス）２０との接続が検出されると、第１の機器（キーデバイス）２０から管理データ２５が読み出され、取得される。
【００４６】
また、電子機器（タブレットＰＣ）１０は、例えば、図１に示すようなアイコン（アイコン１、アイコン２、アイコン３、アイコン４等）が操作され、所定情報（個人（例えば、Ａさん）用の個別情報：「国語１」、「算数１」、「理科１」、「社会１」等教科書）の表示指示を検出する。
【００４７】
そして、これら所定情報の表示指示が検出された場合に、例えば、電子機器（タブレットＰＣ）１０自身の記憶部１３から取得された管理データ２５に応じた共用データ１４を取得する。
【００４８】
また、電子機器（タブレットＰＣ）１０は、第１の機器（キーデバイス）２０に記憶されているノートデータ２６を取得する。
【００４９】
そして、電子機器（タブレットＰＣ）１０は、共用データ１４とノートデータ２６を合成した表示映像を、映像表示部（ディスプレイ）１１に出力する。
【００５０】
ここでは、図３（ａ）は、映像表示部（ディスプレイ）１１に出力される共用データ１４とノートデータ２６を合成した表示映像である。
【００５１】
ここでは、例えば、電子機器表示データ（教科書表示＋書き込み）３０である。
【００５２】
また、図３（ｂ）は、電子機器（タブレットＰＣ）１０へ記憶されている共用データ（教科書表示）３１である。
【００５３】
また、図３（ｃ）は、第１の機器（キーデバイス）２０へ記憶されているノートデータ（教科書表示）２６である。
【００５４】
すなわち、この実施形態においては、図３に示すように、第１の機器（キーデバイス）２０が接続されると、電子機器（タブレットＰＣ）１０の共有データ３１にアクセスする際は、ユーザが書き込んだデータ（ノートデータ）２６が共有データ３１にオーバラップされ、表示される。
【００５５】
すなわち、この実施形態においては、ユーザが計算機端末（電子機器（タブレットＰＣ）１０）上で書き込んだデータ２６は、共有データ３１には書き込まれずに、各共有データ３１と紐付されたノートデータ２６上に格納（記憶）される。
【００５６】
図４は、実施形態に係わる電子機器（タブレットＰＣ）と第１の機器（キーデバイス）の状態を示す状態図である。
【００５７】
ステップ４１は、電子機器（タブレットＰＣ）１０は単体、すなわち、第１の機器（キーデバイス）２０が接続されておらず、第１の機器（キーデバイス）２０の接続を待っている状態である。
【００５８】
ステップ４２は、例えば、電子機器（タブレットＰＣ）１０に第１の機器（キーデバイス）２０が挿入され、電子機器（タブレットＰＣ）１０と第１の機器（キーデバイス）２０が接続された動作である。
【００５９】
ステップ４３は、第１の機器（キーデバイス）２０に対応付けられたユーザの環境設定を行なう状態である。
【００６０】
ステップ４４は、電子機器（タブレットＰＣ）１０から第１の機器（キーデバイス）２０が抜去され、電子機器（タブレットＰＣ）１０と第１の機器（キーデバイス）２０の接続が解除された動作である。このとき、例えば、ステップ４１の状態になる。
【００６１】
ステップ４５は、ユーザの環境設定の構築が完了した動作である。
【００６２】
ステップ４６は、電子機器（タブレットＰＣ）１０をユーザが使用する状態である。
【００６３】
ステップ４７は、電子機器（タブレットＰＣ）１０から第１の機器（キーデバイス）２０が抜去され、電子機器（タブレットＰＣ）１０と第１の機器（キーデバイス）２０の接続が解除された動作である。このとき、例えば、ステップ４１の状態になる。
【００６４】
このように、この実施形態においては、例えば、ユーザが、電子機器（タブレットＰＣ）１０を使用しない場合（例えば、電子機器（タブレットＰＣ）１０を返却する際）は、キーデバイスを抜く（第１の機器（キーデバイス）２０の接続を解除する）ことで良い。
【００６５】
そして、この実施形態においては、電子機器（タブレットＰＣ）１０を使用する個人（例えば、Ａさん）が必要とするデータは、第１の機器（キーデバイス）２０側に格納されている。
【００６６】
このため、例えば、電子機器（タブレットＰＣ）１０は、第１の機器（キーデバイス）２０との接続を解除することで、初期化されたのと同等の状態へと復帰することが可能になる。
【００６７】
図５は、実施形態に係わる電子機器（タブレットＰＣ）の動作を説明するフローチャートである。
【００６８】
ステップＳ１００は、ここでの開始ステップである。続いて、ステップＳ１０１に進む。
【００６９】
ステップＳ１０１は、例えば、電子機器（タブレットＰＣ）１０の電源をＯＮにするステップである。続いて、ステップＳ１０２に進む。
【００７０】
ステップＳ１０２は、電子機器（タブレットＰＣ）１０に第１の機器（キーデバイス）２０は接続されたかを検出するステップである。電子機器（タブレットＰＣ）１０に第１の機器（キーデバイス）２０が接続された場合は、ステップＳ１０３に進む（Ｙｅｓ）。電子機器（タブレットＰＣ）１０に第１の機器（キーデバイス）２０が接続されない場合は、ここでの処理を繰り返す（Ｎｏ）。
【００７１】
ステップＳ１０３は、例えば、第１の機器（キーデバイス）２０から図２に示す個人環境データ２４を読み出し、取得するステップである。ここで、個人環境データ２４は、例えば、壁紙、アイコンの配置等個人毎の設定データである。続いて、ステップＳ１０４に進む。
【００７２】
ステップＳ１０４は、個人環境データ２４に応じ、映像表示部１１に個人（例えば、Ａさん）の初期設定表示画面を表示出力するステップである。続いて、ステップＳ１０５に進む。
【００７３】
ステップＳ１０５は、例えば、第１の機器（キーデバイス）２０から図２に示す管理データ２５を読み出し、取得するステップである。
【００７４】
この管理データ２５は、電子機器（タブレットＰＣ）１０に記憶された共有データ（例えば、教科書データ、テストデータ等）を識別し、アクセスできるようにする。
【００７５】
そして、例えば、第１の機器（キーデバイス）２０の所有者（あるいは貸与されたユーザ等）が小学校１年生である場合に、小学校１年生から６年生の教科書（データ）の中で、１年生の教科書（データ）にアクセスできるように紐付けるように構成される（個人用教科書情報等）。
【００７６】
続いて、ステップＳ１０６に進む。
【００７７】
ステップＳ１０６は、例えば、上記のような、個人（例えば、Ａさん）用教科書情報等の、個人個別の、所定情報の表示が指示されたかを検出するステップである。所定情報の表示指示が検出された場合は、ステップＳ１０７に進む（Ｙｅｓ）。所定情報の表示指示が検出されない場合は、キーデバイス２０接続解除確認にＳ１１２に進む（Ｎｏ）。
【００７８】
ステップＳ１０７は、電子機器（タブレットＰＣ）１０の記憶部（ストレージ１３）から、管理データ２５に応じた共有データ３１（例えば、小学校１年生の教科書（国語１、算数１等））を読み出し、取得するステップである。続いて、ステップＳ１０８に進む。
【００７９】
ステップＳ１０８は、第１の機器（キーデバイス）２０の記憶部（ストレージ２３）から、記憶されているノートデータ（書き込みデータ）２６を読み出し、取得するステップである。続いて、ステップＳ１０９に進む。
【００８０】
ステップＳ１０９は、共有データ３１とノートデータ２６を合成した表示映像（個人（例えば、Ａさん）用教科書等の所定情報）３０を、映像表示部１１に表示出力するステップである。続いて、ステップＳ１１０に進む。
【００８１】
ステップＳ１１０は、例えば、図３に示す、電子機器データ３０等の表示映像（書き込みがない場合は、実質的に、共用データ３１の表示映像）に、ユーザ等による書き込みがされたかを検出するステップである。表示映像に書き込みされたと検出される場合は、ステップＳ１１１に進む（Ｙｅｓ）。表示映像に書き込みされたと検出されない場合は、ステップＳ１０６に進み、上記処理を繰り返す（Ｎｏ）。
【００８２】
ステップＳ１１１は、例えば、ユーザの書き込みを、共有データ３１に関連付けて、第１の機器（キーデバイス）２０のノートデータ２６に記憶するステップである。続いて、ステップＳ１１２に進む。
【００８３】
ステップＳ１１２は、電子機器（タブレットＰＣ）１０への第１の機器（キーデバイス）２０の接続が解除されたかを検出するステップである。第１の機器（キーデバイス）２０の接続が解除されたと検出される場合は、ステップＳ１１３に進む。
【００８４】
ステップＳ１１３は、終了ステップであり、ここでの処理は終了する。
【００８５】
すなわち、電子機器１０は、例えば、管理データ２５が記憶されている第１の機器２０との接続を検出し、接続が検出された場合に、前記第１の機器２０から前記管理データ２５を取得する。
【００８６】
また、個人個別の所定情報（個人個別の情報）の表示指示を検出し、表示指示が検出された場合に、自身の記憶部（ストレージ１３）から前記取得された管理データ２５に応じた共用データ（小学校１年生用の教科書等）１４を取得する。
【００８７】
また、前記第１の機器２０に記憶されているノートデータ２６を取得する。
【００８８】
また、図３に示すように、前記共用データ１４と前記ノートデータ２６を合成した表示映像を出力する。
【００８９】
また、前記管理データ２５は、前記電子機器１０の記憶部（ストレージ１３）に記憶された共用データ１４を識別し、アクセスできるようにする。
【００９０】
また、前記共用データ１４は、複数のユーザで共用されるデータである。
【００９１】
また、所定情報は、個人（例えば、Ａさん）用の教科書情報（小学校１年生用の教科書等）を含む。
【００９２】
また、電子機器１０は、例えば、図１に示すように、前記第１の機器２０から個人（例えば、Ａさん）情報環境データを取得し、この個人情報環境データに応じた設定表示を出力する。
【００９３】
また、前記出力された表示映像（例えば、図３（ａ）、図３（ｂ））に対する書き込みがされた場合に、前記共用データ１４に関連付けて前記第１の機器２０のノートデータ２６に記憶する。
【００９４】
すなわち、この実施形態においては、例えば、教科書、テストデータ等の共用すべきデータは、複数のユーザで共用される電子機器（計算機端末）１０に格納される。
【００９５】
また、ユーザ個別の利用環境設定は、第１の機器（キーデバイス）２０に格納される。
【００９６】
また、ユーザがアクセス可能な共用データのリスト（管理データ等）は、第１の機器（キーデバイス）２０に格納される。
【００９７】
また、例えば、共用データを表示した状態でユーザが書き込んだ文字、イメージ等は、共用データそのものには書き込まれず、共用データと紐付されたユーザ個別データとして第１の機器（キーデバイス）２０に格納される。
【００９８】
これにより、ユーザ個別のデータと共用データは、映像表示部（ディスプレイ）１１にオーバラップして表示され、あたかもユーザが自分の教科書に書き込むかのように扱うことができる。
【００９９】
また、これにより、例えば、サーバ等を用意しないような、小規模な環境でもこのシステムを構築することが可能になる。
【０１００】
また、ユーザ個別データと共用データを、例えば、電子機器や第１の機器等に分けて記憶することにより、データサイズを小さくすることが可能になる。
【０１０１】
このように構成することによって、この実施の形態においては、複数のユーザが電子機器を共用するシステムにおいて、より小規模な環境で、電子機器を共用するシステムを提供することが可能になる。
【０１０２】
例えば、図６は、他の実施形態に係わる電子機器（タブレットＰＣ）と第１の機器（キーデバイス）の構成を示す図である。
【０１０３】
この実施形態においては、例えば、図２で説明したシステムに、例えば、サーバシステムを用いた形態を追加している。
【０１０４】
ここでは、サーバ６０は、例えば、記憶部（ストレージ）６３、ネットワークインタフェース７１、コントローラ６２を備え、コントローラ６２は、記憶部（ストレージ）６３、ネットワークインタフェース７１に接続され、これ等をコントロールする。
【０１０５】
また、この実施形態においては、サーバ６０の記憶部（ストレージ）６３に、教科書等の共用データ６４が記憶されている。
【０１０６】
また、サーバ６０は、個人Ａさんのバックアップデータであるバックアップ−Ａ（６５）、個人Ｂさんのバックアップデータであるバックアップ−Ｂ（６６）等、複数の個人のバックアップデータを記憶している。
【０１０７】
また、バックアップ−Ａ（６５）は、個人Ａさんの個人環境データ６５ａ、環境データ６５ｂ、ノートデータ６５ｃを記憶している。
【０１０８】
また、同様に、バックアップ−Ｂ（６６）は、個人Ｂさんの個人環境データ６６ａ、環境データ６６ｂ、ノートデータ６６ｃを記憶している。
【０１０９】
そして、ここでは、サーバ６０は、電子機器（タブレットＰＣ）１０と、それぞれ、ネットワークインタフェース７１、ネットワークインタフェース７２を介して接続されている。
【０１１０】
そして、この実施に係る形態では、共有データ６４をサーバ６０上に格納したり、また個別データ（個人環境データ（６５ａ、６６ａ）、管理データ（６５ｂ、６６ｂ）、ノートデータ（６５ｃ、６６ｃ））等のバックアップを、サーバ６０上に保持したりすることが可能となる。
【０１１１】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１２】
なお、上記実施形態は、記述そのものに限定されるものではなく、実施段階では、その趣旨を逸脱しない範囲で、構成要素を種々変形して具体化することが可能である。
【０１１３】
また、上記実施形態に開示されている複数の構成要素の適宜な組み合せにより種々の発明を形成できる。
【０１１４】
例えば、実施形態に示される全構成要素から幾つかの構成要素を削除してもよい。更に、異なる実施形態に亘る構成要素を適宜組み合せてもよい。
【符号の説明】
【０１１５】
１０…電子機器（タブレットＰＣ）、１１…映像表示部（ディスプレイ）、１２…ＳｏＣ、１３…記憶部（ストレージ）、１４…共用データ、１５…インタフェース、２０…第１の機器（キーデバイス）、２１…インタフェース、２２…コントローラ、２３…記憶部（ストレージ）、２４…個人環境データ、２５…管理データ、２６…ノートデータ。
【図１】
2014089610.tif 000003
【図２】
2014089610.tif 000004
【図３】
2014089610.tif 000005
【図４】
2014089610.tif 000006
【図５】
2014089610.tif 000007
【図６】
2014089610.tif 000008